(57)【特許請求の範囲】
【請求項１】
巻き上げドラムを、固定シャフトに対して遊嵌すると共に、巻き上げスプリングを介して、上記固定シャフトに連結し、巻き上げドラムは、固定シャフトに回転自在に遊嵌した複数の巻き上げホイールと、各巻き上げホイールを連係する補助バーと、により形成されたシャッターの巻取り装置において、上記巻き上げドラムの少なくとも中間部分の外周には、巻き上げホイールの外周に沿って筒状に装着される補強体を装着し、上記巻き上げホイールの外周には、嵌合溝が形成されており、また、上記補強体の内側面には、長手方向に延びる突条が形成され、上記突条が上記嵌合溝に嵌合することで、上記補強体を上記巻き上げホイールに係合していることを特徴とするシャッターの巻取り装置。
【請求項２】
上記補強体は、略円筒状、略角筒状、あるいは、軸方向に沿って連続する割溝を有する断面略Ｃ形等の筒状体により構成されていることを特徴とする請求項１に記載のシャッターの巻取り装置。
【請求項３】
上記補強体の外側面の一箇所は、肉厚に形成され、シャッターカーテン基端部の吊元の結合固定部とされていることを特徴とする請求項１又は２に記載のシャッターの巻取り装置。
【発明の詳細な説明】
【０００１】
【発明の属する技術分野】
本発明は、主として、巻き上げスプリングによる蓄勢力を利用する手動あるいは電動による建物用スプリングシャッターの巻取り装置に関するものである。
【０００２】
【従来の技術】
一般に、シャッターの巻取り装置、特に、巻き上げスプリングの蓄勢力で、シャッターの巻き上げ、あるいは、巻き戻す動作をバランスさせるようにしたスプリングシャッターの巻取り装置においては、シャッターの間口が広く、カーテン幅が大きい場合には、固定シャフトに掛かる荷重が大きく、固定シャフトに撓みが生じる虞がある。特に、巻き上げドラムが、固定シャフトに遊嵌した複数の巻き上げホイールと、各巻き上げホイール間に掛け渡してこれを連結する補助バーとで構成されている場合には、曲げに対して構造的に十分な剛性がなく、固定シャフト中央部の荷重が過剰となり、カーテンの開閉作動時に該中央部が撓んで振れるなどの現象がある。
【発明が解決しようとする課題】
【０００３】
このため、上述の固定シャフトの撓みから、カーテンを巻き上げ、巻き戻す際に、カーテンの開閉がスムーズでなく、カーテンを構成するスラットの音鳴りが発生したり、摩擦抵抗の不安定な増減により、巻き上げスプリングのバランスが不良となり、カーテンにねじれを生じたり、そのスラット相互で、片流れなどの不都合が起こる。
【０００４】
本発明は、上記事情に基づいてなされたもので、装着が容易であり、しかも、固定シャフトの曲げに対して、効果的な剛性を持たせ、スラットの音鳴りを回避し、巻き上げスプリングの良好なバランスを維持し、カーテンのねじれやスラットの片流れなどの不都合を解消したスプリングシャッターの巻取り装置を提供することを目的とする。
【０００５】
【課題を解決するための手段】
このため、本発明では、図示の実施例でも明らかにしたように、巻き上げドラム１を、固定シャフト２に対して遊嵌すると共に、巻き上げスプリング３を介して、上記固定シャフト２に連結し、巻き上げドラム１は、固定シャフト２に回転自在に遊嵌した複数の巻き上げホイール５Ａ，５Ｂ…と、各巻き上げホイール５Ａ，５Ｂ…を連結する補助バー６と、により形成されたいわゆるスプリングシャッターの巻取り装置において、上記巻き上げドラム１の少なくとも中間部分の外周には、巻き上げホイール５Ａ，５Ｂ…の外周に沿って筒状に装着される補強体７を装着していることを特徴とする。
【０００６】
この場合、上記補強体７は、略円筒状、略角筒状、あるいは、軸方向に沿って連続する割溝を有する断面略Ｃ形等の筒状体により構成することができる。略角筒状としては、三角〜十角等の多角形状とすることができる。また、そのような形状に巻き付けた板状体で構成し、あるいは、複数の分割体の結合組み合わせで構成しても良い。
【０００７】
また、上記巻き上げホイール５Ａ，５Ｂ…の外周の一箇所又は複数箇所には、凹欠状に嵌合溝８を形成し、また、補強体７の内側面の一箇所又は複数箇所には、長手方向に延びる突条７Ａを形成する。しかして、少なくとも補強体７が外挿される巻き上げドラム１の部分の巻き上げホイール５Ａ，５Ｂ…の嵌合溝８の位置を軸方向に一致させておき、補強体７を巻き上げドラム１に外挿して装着する時に、突条７Ａを嵌合溝８に挿入嵌合させる。また、補強体７の外側面の一箇所を肉厚に形成し、シャッターカーテン４基端部の吊元の結合固定部７Ｂとさせることができる。
【０００８】
これによって、固定シャフト４の曲げに対して、効果的な剛性を持たせ、スラットの音鳴りを回避し、巻き上げスプリング３の良好なバランスを維持し、カーテン４のねじれやスラットの片流れなどの不都合を解消できる。また、既設の巻き上げドラム１に対して、又は、巻き上げホイール５Ａ，５Ｂ…の外周に嵌合溝８を設けた巻き上げドラム１に対して、補強体７を外挿固定することにより、容易に組み立て製造することができる。
【０００９】
【発明の実施の形態】
本発明のシャッターの巻取り装置は、図に示すように、基本的には、巻き上げドラム１を、固定シャフト２に対して遊嵌すると共に、巻き上げスプリング３を介して、固定シャフト２に連結し、巻き上げスプリング３の蓄勢力で、カーテン４の巻き上げを助成し、その巻き上げ及び巻き戻し時の付勢をバランスさせるように構成したものである。特に、本発明では、巻き上げドラム１は、固定シャフト２に回転自在に嵌合した複数の、例えば、この実施の形態では、４個の巻き上げホイール５Ａ、５Ｂ、５Ｃ、５Ｄと、これら巻き上げホイール間に架設して各巻き上げホイールを連結する補助バー６とを具備すると共に、カーテン４を巻き付ける胴部に位置して、例えば、巻き上げホイール５Ｂ、５Ｃの間で、これら巻き上げホイールの外周に沿って、筒状に装着される補強体７を装着している。
【００１０】
この実施の形態では、図８に示すように、補強体７は、ほぼ、円筒状であり、アルミなどの金属の押し出し成形により形成されている。この補強体７の内側面には、長手方向に全通する突条７Ａが一体に突出形成されている。突条７Ａは、平行二本一組の突条により形成され、例えば、９０度間隔で４組形成されている。補強体７の外側面の一箇所は、肉厚に形成され、カーテン４基端部の吊元の結合固定部７Ｂとされている。尚、補強体７は、要すれば、三角、四角〜十角等の多角形断面の筒状体でもよく、あるいは、そのような形状に巻き付けた、例えば、Ｃ字形断面の板状体で構成されてもよく、あるいは、複数の分割体の組み合わせ、例えば、半円弧状断面の分割体を２個組合せて、構成されていてもよい。
【００１１】
また、各巻き上げホイール５Ａ（Ｂ、Ｃ、Ｄ）は、図７に示すように、円盤部１３の内外周に円筒状のボス部１４とフランジ部１５が一体に同心状に形成されており、その外周には、円周方向に等間隔で、上記各突条７Ａが嵌挿される、複数の、例えば、４個の嵌合溝８が凹欠状に形成されている。また、フランジ部１５の内周面に沿った円盤部１３の外周部には、補助バー６が挿通係合される挿通孔１６が形成されている。
【００１２】
補強体７は、巻き上げドラム１に外挿された状態で、その突条７Ａが巻き上げホイールの嵌合溝８に挿入嵌合され、これにより、補強体７は巻き上げホイール（この実施の形態では、巻き上げホイール５Ｂ、５Ｃ）に係合してある。１７は、補強体７と巻き上げホイールとを結合するリベット等の結合具である。
【００１３】
なお、図中、符号９は、巻き上げスプリング３の一端を固定シャフト２に連結する固定ビスよりなる固定具であり、符号１０は、同じく、巻き上げスプリング３の他端を巻き上げホイール５Ｂ（５Ｃ）に連結する固定ビスよりなる固定具である。また、符号１１は、巻き上げホイール５Ｂ、５Ｃが固定シャフト２の長手方向に移動するのを防止するための割ピンよりなる係止具であり、固定シャフト２を貫通して取り付けられ、また、巻取りホイール５Ｂ（５Ｃ）と係止具１１との間には、滑りのためのワッシャ１２が介装してある。
【００１４】
このような構成では、シャッターの巻き上げスプリング３、３の蓄勢力を利用して、シャッターの開閉を行う際、巻き上げドラム１を介して、カーテン４の荷重を固定シャフト２で受けるが、この場合、固定シャフト２は、補強体７によって、略同心状に補強され、固定シャフト２の撓みを抑制するから、スラットの音鳴りを回避し、巻き上げスプリング３の良好なバランスを維持し、カーテン４のねじれやスラットの片流れなどの不都合を解消できる。
【００１５】
なお、この実施の形態では、補強体７は、巻き上げホイール５Ｂ、５Ｃ間だけに装着されているが、強度上、設計上の都合で、カーテン４が卷かれる全域、即ち、巻き上げホイール５Ａないし５Ｄの間に渡って装着されていてもよいことは勿論である。
【００１６】
【発明の効果】
本発明は、以上詳述したようになり、固定シャフトに回転自在に遊嵌した複数の巻き上げホイールと各巻き上げホイールを連係する補助バーと、により形成された巻き上げドラムを、巻き上げスプリングを介して上記固定シャフトに連結した、いわゆるスプリングシャッターの巻取り装置において、上記巻き上げドラムの少なくとも中間部分の外周に、巻き上げホイールの外周に沿って筒状に装着される補強体を装着しているので、これによって、固定シャフトの曲げに対して、同心状の効果的な剛性を持たせ、スラットの音鳴りを回避し、巻き上げスプリングの良好なバランスを維持し、カーテンのねじれやスラットの片流れなどの不都合を解消できる。
また、補強体は、巻き上げドラムに外挿させることにより取り付けられ、その装着組付けが容易である。
【００１７】
さらに、筒状体により形成した補強体内側面の一箇所又は複数箇所に長手方向に連続する突条を形成し、補強体が外挿される巻き上げホイールの上記突条と対応する外側面に該突条が嵌挿する嵌合溝を形成することにより、補強体と巻き上げホイールとが外周方向に一体化し、補強体による巻き上げホイール及び固定シャフトの補強が一層確実となり、特に外周方向の捩れ変形を有効に吸収させることができる。
【図面の簡単な説明】
【図１】本発明の実施の形態としての巻取り装置の一部斜視図である。
【図２】同じく、要部の平面図である。
【図３】同じく、要部の正面図である。
【図４】図２のＡ−Ａ線に沿った断面図である。
【図５】同じく、Ｂ−Ｂに沿った断面図である。
【図６】同じく、Ｃ−Ｃに沿った拡大断面図である。
【図７】同じく、巻き上げドラムの正面図（Ａ）と側断面図（Ｂ）である。
【図８】同じく、補強体の端面図である。
【符号の説明】
１    巻き上げドラム
２    固定シャフト
３    巻き上げスプリング
４    カーテン
５Ａ、５Ｂ、５Ｃ、５Ｄ    巻き上げホイール
６    補助バー
７    補強体
７Ａ    突条
８    嵌合溝
９、１０    固定具
１１    係止具
１２    ワッシャ
１３    円盤部
１４    ボス部
１５    フランジ部
１６    挿通孔
１７    結合具
【図１】
0003653864.tif 000002
【図２】
0003653864.tif 000003
【図３】
0003653864.tif 000004
【図４】
0003653864.tif 000005
【図５】
0003653864.tif 000006
【図６】
0003653864.tif 000007
【図７】
0003653864.tif 000008
【図８】
0003653864.tif 000009